(57)【特許請求の範囲】
【請求項１】
対象物を切断するための切断部と、
前記対象物を挟持する第１挟持部と、
前記切断部と前記第１挟持部との間に設けられ、前記第１挟持部と離間し、前記対象物を挟持する第２挟持部と、
前記第１挟持部および前記第２挟持部を開閉させる把持部と、
を備え、
前記第１挟持部の前記第２挟持部とは反対側の面が、収穫した前記対象物を載置可能に構成されていることを特徴とする作物収穫用工具。
【請求項２】
前記第１挟持部は、開閉動作する一対の挟持片を有し、
前記第２挟持部は、開閉動作する一対の挟持片を有することを特徴とする請求項１記載の作物収穫用工具。
【請求項３】
前記第１挟持部は、前記第２挟持部と同時に開閉することを特徴とする請求項１または２に記載の作物収穫用工具。
【請求項４】
前記把持部は、前記第１挟持部および前記第２挟持部の開閉とともに前記切断部を開閉させることを特徴とする請求項１〜３のいずれか１つに記載の作物収穫用工具。
【請求項５】
前記第１挟持部の前記第２挟持部とは反対側の表面には凹部が設けられたことを特徴とする請求項１〜４のいずれか１つに記載の作物収穫用工具。
【発明の詳細な説明】
【技術分野】
【０００１】
本発明は、果実などの作物を収穫する際に用いられる作物収穫用工具に関する。
【背景技術】
【０００２】
作物を収穫するには、一般的に手作業によって枝や茎から摘み取ったり、剪定鋏や専用の道具を使って刈り取ったりする。作物のなかでもメロンやバナナなどは収穫後に追熟するが、いちご、ほうれん草、小松菜などは収穫した時から劣化が始まる。このように追熟しない作物は、完熟に近い状態まで熟してから収穫することが望ましい。
【０００３】
一方、完熟に近づくと表皮が柔らかくなってしまい、収穫の際の手作業や輸送時などで傷みが生じやすくなる。このため、完熟の手前で収穫されるのが一般的である。
【０００４】
作物を収穫する際に用いられる工具として、特許文献１には、剪定や収穫時に飛散や落下しない、保持、切断、切断保持の３役をこなすキャッチ・ハサミが開示される。また、特許文献２には、いちごなどの果実を収穫するにあたり、果柄の切断位置に果柄をスムーズに位置決めし、果柄の損傷を抑制する果柄切断機構が開示される。
【先行技術文献】
【特許文献】
【０００５】
【特許文献１】特開２０１４−０５７５６３号公報
【特許文献２】特開２０１２−１１０２５７号公報
【発明の概要】
【発明が解決しようとする課題】
【０００６】
しかしながら、作業者の手作業によって作物を枝や茎から切り離し、この切り離しとともに保持を行うことができる鋏において、切り離した作物を確実に保持して搬送容器まで運ぶことは非常に難しい。特許文献１で記載されたキャッチ・ハサミでは、収穫された作物を搬送容器へ収納する際には作業者の手作業が必要である。また、特許文献２に記載の機構では大がかりな設備が必要になるため、生産者は容易に導入することはできない。
【０００７】
本発明の目的は、手作業で収穫する際に作業者の手に直接触れることなく収穫することができ、容器まで確実に保持して運ぶことができる作物収穫用工具を提供することである。
【課題を解決するための手段】
【０００８】
上記課題を解決するため、本発明の作物収穫用工具は、対象物を切断するための切断部と、対象物を挟持する第１挟持部と、切断部と第１挟持部との間に設けられ、第１挟持部と離間し、対象物を挟持する第２挟持部と、第１挟持部および第２挟持部を開閉させる把持部と、を備え、第１挟持部の第２挟持部とは反対側の面が、収穫した対象物を載置可能に構成されている。
【０００９】
このような構成によれば、第１挟持部と第２挟持部との両方で対象物を保持したまま、切断部によって対象物を切断することができる。対象物は切断されたあとも第１挟持部と第２挟持部とで保持される。第１挟持部と第２挟持部とは離間しているため、対象物を２箇所でしっかりと支えることができる。
【００１０】
本発明の作物収穫用工具において、第１挟持部は、開閉動作する一対の挟持片を有し、第２挟持部は、開閉動作する一対の挟持片を有していてもよい。これにより、第１挟持部の一対の挟持片と第２挟持部の一対の挟持片とで対象物を２箇所で挟むように保持することができる。
【００１１】
本発明の作物収穫用工具において、第１挟持部は、第２挟持部と同時に開閉するようになっていてもよい。これにより、第１挟持部と第２挟持部とで対象物を同時に挟持することができる。
【００１２】
本発明の作物収穫用工具において、把持部は、第１挟持部および第２挟持部の開閉とともに切断部を開閉させるようにしてもよい。これにより、第１挟持部および第２挟持による対象物の挟持と連動して対象物の切断を行うことができる。
【００１３】
本発明の作物収穫用工具において、第１挟持部の第２挟持部とは反対側の表面に凹部が設けられていてもよい。これにより、対象物の保持や切断の際に対象物の先に付いている作物を凹部にフィットさせることができる。
【発明の効果】
【００１４】
本発明によれば、手作業で作物を収穫する際に作業者の手に直接触れることなく収穫することができ、容器まで確実に保持して運ぶことができる作物収穫用工具を提供することが可能になる。
【図面の簡単な説明】
【００１５】
【図１】本実施形態に係る作物収穫用工具を例示する模式斜視図である。
【図２】本実施形態に係る作物収穫用工具の模式側面図である。
【図３】本実施形態に係る作物収穫用工具の模式平面図である。
【図４】作物収穫用工具の使用方法を例示する模式斜視図である。
【図５】作物収穫用工具の使用方法を例示する模式斜視図である。
【図６】作物収穫用工具の使用方法を例示する模式斜視図である。
【図７】本実施形態に係る作物収穫用工具による他の搬送方法を例示する模式斜視図である。
【図８】いちごの容器（第１の例）および収納について例示する模式図である。
【図９】いちごの容器（第１の例）および収納について例示する模式図である。
【図１０】いちごの容器（第１の例）および収納について例示する模式図である。
【図１１】いちごの容器（第１の例）および収納について例示する模式図である。
【図１２】いちごの容器（第２の例）および収納について例示する模式図である。
【図１３】いちごの容器（第２の例）および収納について例示する模式図である。
【図１４】いちごの容器（第２の例）および収納について例示する模式図である。
【発明を実施するための形態】
【００１６】
以下、本発明の実施形態を図面に基づいて説明する。なお、以下の説明では、同一の部材には同一の符号を付し、一度説明した部材については適宜その説明を省略する。
【００１７】
（作物収穫用工具の構成）
図１は、本実施形態に係る作物収穫用工具を例示する模式斜視図である。
本実施形態に係る作物収穫用工具１は、作物を収穫する際に対象物を切断するとともに保持するための道具である。なお、本実施形態においては、作物としていちご１５、対象物としていちご１５の茎１５１の場合を例として説明する。
【００１８】
作物収穫用工具１は、切断部１０と、第１挟持部２１と、第２挟持部２２と、把持部３０と、を備える。切断部１０は、対象物である茎１５１を切断する部分である。切断部１０は、鋏のような構造（鋏型）であっても、カッターのような構造（カッター型）であってもよい。図１に示す例では、切断部１０は鋏型になっており、第１刃部１１と第２刃部１２とを有する。また、片刃の鋏もあるように、第１刃部１１あるいは第２刃部１２のどちらか一方によって切断部１０が構成されていてもよい。なお、カッター型の場合には、第１刃部１１および第２刃部１２のいずれか一方だけでもよい。
【００１９】
第１刃部１１および第２刃部１２は、支軸ＡＸ３を中心として開閉可能に設けられる。例えば、支軸ＡＸ３を中心とした第２刃部１２とは反対側にハンドル４０が設けられる。このハンドル４０を動かすことで第１刃部１１に対して第２刃部１２が開閉動作することになる。なお、第１刃部１１と第２刃部１２とは、バネ（図示せず）によって開く方向に付勢されていてもよい。これにより、通常の状態ではバネの付勢力によって第１刃部１１および第２刃部１２が開いた状態になる。
【００２０】
第１挟持部２１は、開閉動作する一対の挟持片２１１，２１２を有する。一対の挟持片２１１，２１２は、支軸ＡＸ１を中心として開閉可能に設けられる。この一対の挟持片２１１，２１２を閉じることで茎１５１が挟持される。
【００２１】
挟持片２１１の茎１５１との接触面２１１ａ、および挟持片２１２の茎１５１との接触面２１２ａは、茎１５１を挟持できればよいため、閉じた際に密着しても、隙間が設けられていてもよい。
【００２２】
第２挟持部２２は、切断部１０と第１挟持部２１との間に設けられる。第２挟持部２２は第１挟持部２１と離間して設けられる。第２挟持部２２は、開閉動作する一対の挟持片２２１，２２２を有する。一対の挟持片２２１，２２２は、支軸ＡＸ２を中心として開閉可能に設けられる。この一対の挟持片２２１，２２２を閉じることで茎１５１が挟持される。
【００２３】
挟持片２２１の茎１５１との接触面２２１ａ、および挟持片２２２の茎１５１との接触面２２２ａは、茎１５１を挟持できればよいため、閉じた際に密着しても、隙間が設けられていてもよい。
【００２４】
なお、支軸ＡＸ１，ＡＸ２，ＡＸ３に沿った方向（以下、単に「軸方向」と言う。）にみて、接触面２２１ａは接触面２１１ａと揃っていることが望ましい。同様に、軸方向にみて、接触面２２２ａは接触面２１２ａと揃っていることが望ましい。これにより、第１挟持部２１および第２挟持部２２でほぼ同時に茎１５１を保持することができる。
【００２５】
接触面２１１ａ，２１２ａ，２２１ａ，２２２ａには、スポンジ素材、ゴム素材、シリコン素材などの表面加工が施されていてもよい。これにより、茎１５１を挟持する際の滑り止め効果を得られる。
【００２６】
把持部３０は、第１挟持部２１および第２挟持部２２をテコの原理で開閉動作するために用いられる握り部分である。把持部３０は、第１グリップ３１と第２グリップ３２とを有する。第１グリップ３１は、第１挟持部２１の挟持片２１２と、第２挟持部２２の挟持片２２２とを動かす。第２グリップ３２は、第１挟持部２１の挟持片２１１と、第２挟持部２２の挟持片２２１とを動かす。
【００２７】
すなわち、第１グリップ３１および第２グリップ３２を握ることで、第１挟持部２１と第２挟持部２２とが同時に閉じて、茎１５１を保持することができる。また、第１グリップ３１および第２グリップ３２を開くことで、第１挟持部２１と第２挟持部２２とが開くようになる。なお、第１グリップ３１と第２グリップ３２とは、バネ（図示せず）によって開く方向に付勢されていてもよい。これにより、握る力を解除すればバネの付勢力によって第１挟持部２１および第２挟持部２２が開くようになる。
【００２８】
図２は、本実施形態に係る作物収穫用工具の模式側面図である。
図２には、第２グリップ３２側からみた側面図が表される。作物収穫用工具１において、切断部１０、第１挟持部２１および第２挟持部２２は、軸方向に重ねて配置される。この軸方向において、第１挟持部２１と第２挟持部２２との間には間隔ｄ１が設けられる。
【００２９】
第１挟持部２１と第２挟持部２２との両方で茎１５１を挟持する場合、間隔ｄ１が設けられることでこの幅によって安定して茎１５１を保持することができる。この間隔ｄ１は、後述する容器へいちご１５を収納する際の容器の厚さよりも僅かに広くしておけばよい。
【００３０】
なお、間隔ｄ１は調整可能に設けられていてもよい。例えば、第１挟持部２１および第２挟持部２２の少なくとも一方の厚さを調整可能に設けたり、第１グリップ３１および第２グリップ３２の厚さを調整可能にするスペーサ（図示せず）を設けたりすることで、間隔ｄ１が調整可能となる。
【００３１】
茎１５１を切断する場合、茎１５１のいちご１５寄りの部分を第１挟持部２１と第２挟持部２２とで挟むようにする。切断部１０は、第２挟持部２２よりもいちご１５から離れた位置で茎１５１を切断する。
【００３２】
軸方向における第２挟持部２２と切断部１０との間隔ｄ２は、間隔ｄ１より狭くなっていてもよい、これにより、第１挟持部２１および第２挟持部２２で茎１５１を保持した状態で切断部１０によって茎１５１を切断する際、切断後に残る茎１５１の長さとして、第１挟持部２１と第２挟持部２２とで支える長さより僅かに長く残すだけで済むようになる。また、間隔ｄ２は、間隔ｄ１より広くなっていてもよい。この場合、切断後の茎１５１を長めに残すことができる。
【００３３】
支軸ＡＸ１，ＡＸ２，ＡＸ３は、かしめ構造となっている。これにより、挟持片２１１，２１２および挟持片２２１，２２２のそれぞれの回転運動は許容するものの、分離はしないような構造になっている。第１挟持部２１の支軸ＡＸ１は、第２挟持部２２の支軸ＡＸ２と同軸上になっていることが望ましい。また、図２に示す例では、支軸ＡＸ１は支軸ＡＸ２と別体であるが、共有の軸にしてもよい。
【００３４】
なお、本実施形態において図示する作物収穫用工具１は右手用である。左手用の場合には、作物収穫用工具１の構成を左右対称に設ければよい。
【００３５】
図３は、本実施形態に係る作物収穫用工具の模式平面図である。
切断部１０が鋏型の場合、第１刃部１１を第２挟持部２２の挟持片２２１に対して固定しておくことが望ましい。例えば、支軸ＡＸ３を中心として第１刃部１１の反対側に延びる延出部４１は、第２グリップ３２に固定される。これにより、ハンドル４０の操作で第２刃部１２を閉じるだけで茎１５１の切断を行うことができる。
【００３６】
この場合、軸方向にみて、挟持片２２１の接触面２２１ａの位置と、第１刃部１１の刃線１１ａとの位置関係を調整できるようにしてもよい。例えば、軸方向にみて接触面２２１ａの位置と刃線１１ａとの位置を合わせておくと、茎１５１を第１挟持部２１および第２挟持部２２で挟んだ際に、丁度、刃線１１ａが茎１５１に当接する状態になる。
【００３７】
また、軸方向にみて接触面２２１ａの位置よりも刃線１１ａを出しておいてもよい。これにより、茎１５１を第１挟持部２１および第２挟持部２２で挟んだ際には、刃線１１ａが茎１５１の途中まで入り込むことになる。
【００３８】
なお、第１刃部１１を支軸ＡＸ３を中心として回転させて刃線１１ａを接触面２２１ａから出すようにした場合、接触面２２１ａに対する刃線１１ａの出る量は、第１刃部１１の付け根から先端に向かうほど多くなる。したがって、茎１５１の太さに応じて刃線１１ａの当てる位置を調整すれば、茎１５１を保持した際に第１刃部１１の茎１５１に入る量を調整できることになる。
【００３９】
また、第１刃部１１を平行移動させて刃線１１ａを接触面２２１ａに対して平行に出した場合、接触面２２１ａに対する刃線１１ａの出る量は、第１刃部１１の刃先から付け根まで一定になる。
【００４０】
本実施形態に係る作物収穫用工具１を使用する作業者は、手Ｈで把持部３０を握るようにして持つ。具体的には、手Ｈの親指、薬指および小指で第２グリップ３２を握り、第１グリップ３１に中指を引っ掛ける。また、ハンドル４０に人差し指を引っ掛ける。第１グリップ３１、第２グリップ３２およびハンドル４０の形状は、手Ｈの指を掛けやすいような形状になっている。
【００４１】
作物収穫用工具１において、挟持片２１２および挟持片２２２は第１グリップ３１と一体に形成されていてもよい。また、挟持片２１１および挟持片２２１は第２グリップ３２と一体に形成されていてもよい。さらにまた、第１刃部１１は、第２グリップ３２と一体に形成されていてもよい。この場合、延出部４１は不要である。
【００４２】
（作物収穫用工具の製造方法）
本実施形態に係る作物収穫用工具１は、例えば、所定の材料を切り抜いて各部を形成し、形成した各部を積層することで製造することができる。第１グリップ３１や第２グリップ３２など、ある程度の厚さが必要な部分については、平板を切り抜いた部材を複数枚用意し、これらを積層することで所望の厚さにしてもよい。また、各部を３次元プリンタで形成してもよい。
【００４３】
以下、積層による作物収穫用工具１の製造方法について説明する。
先ず、第１グリップ３１と接続される挟持片２１１，２２１と、第２グリップ３２と接続される挟持片２１２，２２２とを支軸ＡＸ１，ＡＸ２の位置で交差させ、重ね合わせる。そして、支軸ＡＸ１，ＡＸ２の位置をビスやかしめなどによって回動可能に固定する。
【００４４】
次に、第１刃部１１と第２刃部１２とを支軸ＡＸ３の位置で交差させ、重ね合わせる。そして、支軸ＡＸ３の位置をビスやかしめなどによって回動可能に固定する。次いで、支軸ＡＸ３を中心として第１刃部１１の反対側に延びる延出部４１を第２グリップ３２に固定する。延出部４１の第２グリップ３２に固定する位置（角度）によって、第１刃部１１の刃線１１ａの接触面２２１ａに対する出っ張り量を調整できる。一方、支軸ＡＸ３を中心として第２刃部１２の反対側に延びるハンドル４０は、固定しない。
【００４５】
各部を積層した後は、必要に応じて第１グリップ３１と第２グリップ３２との間を開く方向に付勢するバネ（図示せず）や、第１刃部１１と第２刃部１２との間を開く方向に付勢するバネ（図示せず）を取り付ける。ハンドル４０の位置は、第１グリップ３１よりも外側になっていてもよい。これにより、作物収穫用工具１が製造される。
【００４６】
（作物収穫用工具の使用方法）
次に、作物収穫用工具１の使用方法について説明する。
図４〜図６は、作物収穫用工具の使用方法を例示する模式斜視図である。
先ず、図４に表したように、切断部１０、第１挟持部２１および第２挟持部２２を開いて茎１５１を差し込む。この際、第１挟持部２１の直下にいちご１５が配置されるようにする。
【００４７】
次に、図５に表したように、手Ｈの中指で第１グリップ３１を引き寄せて、第１グリップ３１および第２グリップ３２を握る。これにより、第１挟持部２１および第２挟持部２２が閉じて、挟持片２１１，２１２，２２１，２２２によって茎１５１を挟む状態になる。茎１５１を挟む際、第１挟持部２１によっていちご１５のへたの直ぐ上を挟むようにするとよい。
【００４８】
次に、図６に表したように、手Ｈの人差し指でハンドル４０を引き寄せるように移動させる。これにより切断部１０が閉じて茎１５１を切断することができる。この際、茎１５１が切断されても、第１グリップ３１および第２グリップ３２を握っている限りは切断箇所よりもいちご１５側の茎１５１を挟持し続けるため、いちご１５は落下せずに保持される。
【００４９】
本実施形態に係る作物収穫用工具１では、間隔ｄ１で離間して設けられる第１挟持部２１と第２挟持部２２との２箇所で茎１５１を挟持するため、いちご１５にある程度の重さがあっても茎１５１をしっかりと保持することができる。
【００５０】
茎１５１を切断した後、作業者は、第１グリップ３１および第２グリップ３２を握ったまま、いちご１５を容器などの位置まで運ぶ。本実施形態に係る作物収穫用工具１によれば、いちご１５に全く手Ｈを触れることなく、収穫から搬送まで行うことが可能となる。
【００５１】
図７は、本実施形態に係る作物収穫用工具による他の搬送方法を例示する模式斜視図である。
図７には、茎１５１を切断した後に作物収穫用工具１の表裏を反転させた状態が表される。茎１５１を切断する際にはいちご１５は第１挟持部２１の下に位置する（図６参照）。茎１５１を切断した後、図７に示すように作物収穫用工具１の表裏を反転させると、第１挟持部２１にいちご１５が載る状態になる。これにより、いちご１５を搬送しやすくなる。また、第１グリップ３１および第２グリップ３２の握りが弱くなっても、いちご１５を落とすことなく運ぶことができる。
【００５２】
第１挟持部２１の、第２挟持部２２とは反対側の面２１ａに凹部２１０が設けられていてもよい。これにより、第１挟持部２１にいちご１５を載せる際に凹部２１０にいちご１５がフィットして、より安定して運ぶことができる。また、第１挟持部２１の面２１ａにクッション材を設けておいてもよい。これにより、第１挟持部２１にいちご１５を載せた際に、いちご１５の自重によっていちご１５に加わる圧力を分散させることができる。
【００５３】
また、本実施形態に係る作物収穫用工具１では、ハンドル４０の操作で切断部１０の開閉動作を行う構成になっているが、第１グリップ３１および第２グリップ３２の開閉動作に連動して切断部１０が開閉するような構成になっていてもよい。これにより、第１グリップ３１および第２グリップ３２を握るだけで茎１５１の保持と切断とを行うことが可能になる。
【００５４】
（いちごの容器および収容）
次に、いちご１５の容器および容器への収納について説明する。
図８〜図１１は、いちごの容器（第１の例）および収納について例示する模式図である。
図８に表したように、第１の例に係る容器５００は、平板状のベース板５１０を有する。ベース板５１０には、縁から内側に向けて切り込み５２０が設けられる。切り込み５２０には縁側に開くＶ型の呼び込み部が設けられていることが望ましい。切り込み５２０は、ベース板５１０の複数箇所に設けられていてもよい。容器５００の材料としては、紙製素材のほか、プラスチック形素材などが用いられる。
【００５５】
この容器５００にいちご１５を収納するには、収穫したいちご１５を作物収穫用工具１の第１挟持部２１の上に載せた状態で、第１挟持部２１と第２挟持部２２との間に容器５００を差し込むようにする。
【００５６】
図９には、作物収穫用工具１を容器５００に差し込んだ状態が示される。本実施形態に係る作物収穫用工具１においては、第１挟持部２１と第２挟持部２２との間に隙間ｄ１（図２参照）が設けられる。この隙間ｄ１は容器５００の厚さよりも僅かに広く設けられる。作業者は、作物収穫用工具１でいちご１５の付いた茎１５１を保持した状態で、第１挟持部２１と第２挟持部２２との間に容器５００を差し込む。この差し込みとともに、茎１５１が切り込み５２０に差し込まれる。
【００５７】
軸方向にみて、茎１５１は、対向する接触面２１１ａ，２１２ａの延長線上で挟持される。作業者は、容器５００の上からみて切り込み５２０の延長線と、接触面２１１ａ，２１２ａの延長線とを合致させるように作物収穫用工具１を差し込むことで、茎１５１を的確に切り込み５２０に差し込むことができる。
【００５８】
図１０（ａ）および（ｂ）には、容器５００に作物収穫用工具１を差し込む状態の側面図が表される。図１０（ａ）に示すように、作物収穫用工具１で収穫したいちご１５を第１挟持部２１の上に載せた状態で、第１挟持部２１と第２挟持部２２との間に容器５００を差し込む。これにより、図１０（ｂ）に示すように、容器５００の切り込み５２０に茎１５１が差し込まれる。
【００５９】
茎１５１を切り込み５２０に差し込んだ後は、把持部３０の握りを緩め、作物収穫用工具１を引き抜く。図１１には、作物収穫用工具１を引き抜いた状態が示される。茎１５１が切り込み５２０に差し込まれることで、いちご１５はへたを下にしてベース板５１０の上に載置された状態で残り、作物収穫用工具１のみが引き抜かれる。茎１５１が切り込み５２０に差し込まれているため、いちご１５は安定して容器５００に固定される。
【００６０】
図１２〜図１４は、いちごの容器（第２の例）および収納について例示する模式図である。
図１２（ａ）および（ｂ）には、第２の例に係る容器６００が例示される。図１２（ａ）には容器６００を展開した平面図が表され、図１２（ｂ）には容器６００を折り曲げた状態の斜視図が表される。容器６００は、ベース板６１０と、ベース板６１０の両側に設けられる折り曲げ部６１１とを有する。折り曲げ部６１１はベース板６１０と一体であってもよい。ベース板６１０と折り曲げ部６１１との間には切り込み６２０が設けられる。切り込み５２０は、ベース板５１０の複数箇所に設けられていてもよい。容器６００の材料としては、紙製素材のほか、プラスチック形素材などが用いられる。
【００６１】
図１２（ｂ）に示すように、ベース板６１０に対して折り曲げ部６１１を裏側に折り曲げると、切り込み６２０が山折りの部分に露出する。なお、切り込み６２０は、折り曲げ部６１１をこのように折り曲げた状態で、山折りの部分から内側に切れ目を入れることで設けられてもよい。折り曲げ部６１１をベース板６１０の裏側に折り曲げた状態において、切り込み６２０には、山折り部側に開くＶ型の呼び込み部が設けられていることが望ましい。
【００６２】
図１３（ａ）および（ｂ）には、容器６００に作物収穫用工具１を差し込む状態の側面図が表される。図１３（ａ）に示すように、作物収穫用工具１で収穫したいちご１５を第１挟持部２１の上に載せた状態で、第１挟持部２１と第２挟持部２２との間に容器６００を差し込む。
【００６３】
容器６００の折り曲げ部６１１は、ベース板６１０の裏側に折り曲げられた状態になっている。作物収穫用工具１における第１挟持部２１と第２挟持部２２との隙間ｄ１（図２参照）は、ベース板６１０と折り曲げ部６１１とが重なる部分の厚さよりも僅かに広く設けられる。これにより、図１３（ｂ）に示すように、容器６００のベース板６１０と折り曲げ部６１１との重なる部分が第１挟持部２１と第２挟持部２２との間に差し込まれる。また、この差し込みとともに、茎１５１が切り込み６２０に差し込まれる。
【００６４】
茎１５１を切り込み６２０に差し込んだ後は、把持部３０の握りを緩め、作物収穫用工具１を引き抜く。図１４（ａ）には、作物収穫用工具１を引き抜いた後のいちご１５の載置状態が示される。茎１５１が切り込み６２０に差し込まれることで、いちご１５はへたを下にしてベース板６１０の上に載置される。
【００６５】
いちご１５を載置した後は、図１４（ｂ）に示すように、容器６００の折り曲げ部６１１をベース板６１０に対して略９０度に拡げる。これにより、折り曲げ部６１１がベース板６１０の脚部として利用される。
【００６６】
また、折り曲げ部６１１を拡げる際、折り曲げ部６１１側の切り込み６２０に差し込まれている茎１５１の先端側が、折り曲げ部６１１の拡がりとともに引っ張られる。茎１５１の先端側が引っ張られることで、いちご１５はベース板６１０の上で引き起こされるようになる。茎１５１は、ベース板６１０側と折り曲げ部６１１側との両方の切り込み５２０で固定されるため、いちご１５は安定して容器６００に固定される。
【００６７】
容器６００では、ベース板６１０に対して折り曲げ部６１１を略９０度に拡げるため、茎１５１としてベース板６１０から折り曲げ部６１１まで届く長さが必要になる。このため、作物収穫用工具１の間隔ｄ２（図２参照）を広く設定することで、切断後の茎１５１の長さを確保することができる。
【００６８】
このように、本実施形態に係る作物収穫用工具１を用いることで、茎１５１を挟持して切断する動作から、いちご１５を収穫して搬送し、容器５００，６００に収納するまでの一連の動作を、いちご１５に手Ｈを触れることなく行うことが可能になる。
【００６９】
いちご１５は、茎１５１と花托とが簡単に分離できることから、手作業で収穫を行いやすい。この際、いちご１５のように完熟に近い状態まで熟してから収穫したい作物の場合には、手作業での傷みを考慮して、完熟の手前で収穫されることが多い。本実施形態に係る作物収穫用工具１や容器５００，６００を用いることで、いちご１５に手Ｈを触れることなく容器５００，６００に収納できるため、いちご１５への傷みを少なくすることができる。したがって、完熟に近い状態まで熟してから収穫を行っても、良好な状態のまま市場に提供することが可能になる。
【００７０】
以上説明したように、実施形態に係る作物収穫用工具１によれば、手作業で作物を収穫する際に作業者の手Ｈに直接触れることなく収穫することができ、容器５００，６００まで確実に保持して運ぶことが可能になる。
【００７１】
なお、上記に本実施形態を説明したが、本発明はこれらの例に限定されるものではない。例えば、作物としていちご１５を例としたが、いちご１５以外の作物であっても適用可能である。また、対象物として茎１５１を例としたが、茎１５１以外でも枝やツル、作物の一部であってもよい。また、前述の実施形態に対して、当業者が適宜、構成要素の追加、削除、設計変更を行ったものや、実施形態で示した各構成の特徴を適宜組み合わせたものも、本発明の要旨を備えている限り、本発明の範囲に包含される。
【符号の説明】
【００７２】
１…作物収穫用工具
１０…切断部
１１…第１刃部
１１ａ…刃線
１２…第２刃部
２１…第１挟持部
２１ａ…面
２２…第２挟持部
３０…把持部
３１…第１グリップ
３２…第２グリップ
４０…ハンドル
４１…延出部
１５１…茎
２１０…凹部
２１１，２１２，２２１，２２２…挟持片
２１１ａ，２１２ａ，２２１ａ，２２２ａ…接触面
５００，６００…容器
５１０，６１０…ベース板
５２０，６２０…切り込み
６１１…折り曲げ部
ＡＸ１，ＡＸ２，ＡＸ３…支軸
Ｈ…手
【要約】
【課題】手作業で作物を収穫する際に作業者の手に直接触れることなく収穫することができ、容器まで確実に保持して運ぶことができる作物収穫用工具を提供すること。
【解決手段】本発明の作物収穫用工具は、対象物を切断するための切断部と、対象物を挟持する第１挟持部と、切断部と第１挟持部との間に設けられ、第１挟持部と離間し、対象物を挟持する第２挟持部と、第１挟持部および第２挟持部を開閉させる把持部と、を備える。この作物収穫用工具では、第１挟持部と第２挟持部との両方で対象物を保持したまま、切断部によって対象物を切断する。
【選択図】図１【図１】
0005797350.tif 000002
【図２】
0005797350.tif 000003
【図３】
0005797350.tif 000004
【図４】
0005797350.tif 000005
【図５】
0005797350.tif 000006
【図６】
0005797350.tif 000007
【図７】
0005797350.tif 000008
【図８】
0005797350.tif 000009
【図９】
0005797350.tif 000010
【図１０】
0005797350.tif 000011
【図１１】
0005797350.tif 000012
【図１２】
0005797350.tif 000013
【図１３】
0005797350.tif 000014
【図１４】
0005797350.tif 000015